(57)【要約】【課題】  鞄などの荷物を盗難にあった場合でも、即座に察知し、荷物側とその所有者側の双方に警報をならして知らせる盗難防止装置の提供。【解決手段】  第一機器は、電波を発信する発信部と、電波を受信する受信部と、受信した電波を照合するコード判断部とが組み込まれている。また、紛失や盗難を知らせるために音を発生させるスピーカを有するブザーなどの警報部も組み込まれて構成されている。第二機器は、第一機器と同様に、発信部と、受信部と、コード判断部と、警報部とが組み込まれて構成されている。第一機器と第二機器とは、通常時、電波のやりとりを行っている。第一機器は、所定間隔で所定回数電波の発信と受信待機状態とを交互に繰り返し、その間に第二機器からの電波を受信できない場合、警報を発する一方、第二機器は、その間、受信待機状態を維持した後、警報を発する。【選択図】      図２
2006065499.tif 000002
【特許請求の範囲】
【請求項１】
第一機器と第二機器との間で電波のやりとりを行って手荷物などの紛失や盗難を防止する盗難防止装置であって、
第一機器は、電波を発信可能とされると共に、第二機器からの電波を受信可能に構成され、
第二機器は、電波を発信可能とされると共に、第一機器からの電波を受信可能に構成され、
少なくとも一方の機器には、電波を所定時間継続して受信しない場合に、警報を発する手段が設けられた
ことを特徴とする盗難防止装置。
【請求項２】
第一機器は、所定間隔で所定回数電波の発信と受信待機状態とを交互に繰り返し、その間に第二機器からの電波を受信できない場合、警報を発する一方、第二機器は、その間、受信待機状態を維持した後、警報を発する
ことを特徴とする請求項１に記載の盗難防止装置。
【請求項３】
第一機器は、警報発生中において、電波の発信と電波の受信待機とを交互に繰り返しており、
第二機器からの電波を受信した場合、警報を解除する
ことを特徴とする請求項２に記載の盗難防止装置。
【請求項４】
第二機器は、警報発生中において、継続して受信待機状態とされており、
第一機器からの電波を受信した場合、警報を解除する
ことを特徴とする請求項３に記載の盗難防止装置。
【請求項５】
各機器は、警報解除後、再び電波のやりとりを行う
ことを特徴とする請求項４に記載の盗難防止装置。
【発明の詳細な説明】
【技術分野】
【０００１】
本発明は、鞄などの手荷物の紛失や盗難（置引きや引ったくりなど）を防止する盗難防止装置に関するものである。
【背景技術】
【０００２】
買物や旅行に行く際には、鞄を所持するが、鞄を置いて目を放した隙に盗まれたり、近年では、手に持っていてもひったくられたりすることがある。また、どこかに置いたまま忘れてきてしまうこともある。
このような盗難を防止するものとして、盗難にあった際に紐を引っ張ったりボタンを押したりしてブザーを鳴らす防犯具が提案されている。
【発明の開示】
【発明が解決しようとする課題】
【０００３】
しかしながら、荷物が気づかないうちに盗まれている場合や防犯具を鞄の中に入れてしまっている場合には、ブザーを鳴らすことができず、防犯の効果がない。
【０００４】
本発明は、上記事情に鑑みてなされたものであり、その主たる目的は、鞄などの荷物を盗難にあった場合でも、即座に察知し、荷物側とその所有者側の双方に警報をならして知らせる盗難防止装置を提供することにある。
【課題を解決するための手段】
【０００５】
上記目的を達成するために、本発明の盗難防止装置は、第一機器と第二機器との間で電波のやりとりを行って手荷物などの紛失や盗難を防止する盗難防止装置であって、第一機器は、電波を発信可能とされると共に、第二機器からの電波を受信可能に構成され、第二機器は、電波を発信可能とされると共に、第一機器からの電波を受信可能に構成され、少なくとも一方の機器には、所定強度の電波を所定時間継続して受信しない場合に、警報を発する手段が設けられたことを特徴とする。
【０００６】
好ましくは上記構成に加えて、第一機器は、所定間隔で所定回数電波の発信と受信待機状態とを交互に繰り返し、その間に第二機器からの電波を受信できない場合、警報を発する一方、第二機器は、その間、受信待機状態を維持した後、警報を発することを特徴とする盗難防止装置である。
【０００７】
また、好ましくは上記構成に加えて、第一機器は、警報発生中において、電波の発信と電波の受信待機とを交互に繰り返しており、第二機器からの電波を受信した場合、警報を解除することを特徴とする盗難防止装置である。
【０００８】
さらに、好ましくは上記構成に加えて、第二機器は、警報発生中において、継続して受信待機状態とされており、第一機器からの電波を受信した場合、警報を解除することを特徴とする盗難防止装置である。
【０００９】
また、好ましくは上記構成に加えて、各機器は、警報解除後、再び電波のやりとりを行うことを特徴とする盗難防止装置である。
【発明の効果】
【００１０】
本発明の盗難防止装置によれば、荷物側とその所有者側の双方に警報を鳴らして、荷物の盗難や紛失を防止することが可能である。
【発明を実施するための最良の形態】
【００１１】
以下、本発明の盗難防止装置について、実施例に基づき更に詳細に説明する。
【００１２】
本発明の盗難防止装置は、第一機器と第二機器とからなり、第一機器は例えば人が所持し、第二機器は、その人が持っている鞄などに付けられたり入れられたりして使用される。そして、第一機器と第二機器とが所定距離（例えば２〜８ｍで設定）離れた場合に、いずれか一方または双方の機器から警報が発せられる構成とされている。そのため、上記の例では、各機器は、電波が例えば２〜８ｍの範囲で互いに送受信可能とされている。なお、その距離は、各機器の電波の発信強度または受信感度を変更することで、任意に設定可能とされる。また、信号転送方式は、高周波無線方式とされ、例えばキャリアーは３２０ＭＨｚとされる。
【００１３】
以下、各機器の構成および動作処理について具体的に説明する。
第一機器は、人が携帯可能な小型なものであり、電波を発信する発信部と、電波を受信する受信部と、受信した電波を照合するコード判断部とが組み込まれている。また、紛失や盗難を知らせるために音を発生させるスピーカを有するブザーなどの警報部も組み込まれて構成されている。
第二機器は、第一機器と同様に、発信部と、受信部と、コード判断部と、警報部とが組み込まれて構成されている。
【００１４】
図１は、通常時における第一機器と第二機器の動作手順を示すフローチャートである。
人が所持する第一機器と、鞄などに入れられた第二機器とは、通常時、電波のやりとりを行っている。
【００１５】
以下、第一機器と第二機器との動作状態について説明する。
まず、第一機器と第二機器の各電源をいれる。すると、第一機器は、電波（DATA１）の発信準備をする。また、第二機器は、第一機器からの電波（DATA１）を受信できるよう受信待機状態に入る。そして、第一機器は、DATA１を発信し、受信待機状態に入る。
【００１６】
ところで、第一機器から発信されるDATA１および後述する第二機器から発信されるDATA２には、それぞれ個別のデータコードが含まれている。
このデータコードの識別により、他の同種機器からの識別が行われ、所定の一対の機器同士でしか反応しないよう構成されている。具体的には、DATA１およびDATA２には、初期コードと、４位数の認識コードと、１２位数のデータコードと、１位数の結末コードとが含まれており、データコードの違いにより各機器の識別が行われる。本実施例では、データコードの違いにより００１からＦＦＦまでの４０９５通りの製品が存在し、それ以降の製品は、ダブルナンバリングコードが出てくるが、使用する際において、データコードが同じ機器が同じ場所で使用されることはほとんど考えられないので問題はないといえる。
そして、第一機器および第二機器には、それぞれ送られてくる電波のデータコードが登録されている。
【００１７】
第二機器は、DATA１を受信した後、DATA１のデータコードの照合を行い、第二機器に登録されているデータコードに一致するか否かを判断する。
そして、データコードが一致すれば、第二機器は、DATA1の受信を確認し、電波（DATA２）を発信して、再び受信待機状態に入る。
【００１８】
第一機器は、DATA１発信後、受信待機状態とされており、第二機器からのDATA２を受信したなら、データコードの照合を行う。そして、第一機器に登録されたデータコードと一致したなら、DATA１を発信して再び受信待機状態に入る。
このように、通常時は、第一機器と第二機器との間で電波（DATA１，DATA２）のやりとりが行われている。
【００１９】
次に、例えば、鞄が盗難された場合について説明する。
図２は、荷物の紛失・盗難時の第一機器と第二機器の動作手順を示すフローチャートである。
【００２０】
第一機器と第二機器とが所定距離を保って電波（DATA１、DATA２）のやりとりを行っている状態から、鞄が持ち去られるなどして、第一機器と第二機器との距離が所定以上に離れると、第一機器から発信されたDATA１が第二機器に届かず、あるいは受信強度が低下する。これに伴い第二機器からDATA２が発信されずに、第一機器がDATA２を受信できなくなる。また、DATA１が第二機器に届いたとしても、その後、所定距離以上離れることで、第二機器から発信されたDATA２を第一機器が受信できなくなる。いずれにしても、第一機器は、第二機器からのDATA２を受信することができない。
【００２１】
このように、第一機器は、DATA２を受信できなくなった場合、すなわち、DATA１を発信後、所定時間、例えば０．１秒内にDATA２を受信できない場合には、さらに所定間隔で所定回数、DATA１を発信する。本実施例では、DATA１を０．５秒間に５回発信する。すなわち０．１秒ごとに一回電波を発信して、０．５秒間に５回DATA１を発信させる。この際、DATA１の発信と発信との間は受信待機状態とされる。
【００２２】
そして、第一機器は、その０．５秒間にDATA２を受信できない場合に、警報部から警報を発する。本実施例では、機器内に設けられたスピーカから警報音を発する。なお、音の代わりに光などの警報としても構わない。
第一機器は、警報を発生中においても、所定間隔でDATA1の発信と、受信待機状態とを繰り返している。
【００２３】
第二機器は、DATA２を発信後、所定時間経過後、本実施例では、０．５秒経過してもDATA１を受信できない場合、警報を発する。
第二機器は、警報発生中において、受信待機状態とされている。
【００２４】
両方の機器が警報を発している際に、第一機器からのDATA１を第二機器が受信すると、第二機器は、警報を解除すると共にDATA２を発信する。
そして、このDATA２を第一機器が受信すると、第一機器は警報を解除し、DATA１を発信する。その後は上述したように、第一機器と第二機器との間で電波（DATA１とDATA２）のやりとりが行われる。
【００２５】
このように、本願発明の盗難防止装置によれば、第一機器と第二機器とが、所定距離離れた場合に、双方の機器から警報が発せられ、鞄などの盗難や紛失を防止することが可能となる。
また、本実施例では、両機器ともに、電波の受信ができなくなってから、すぐに警報を発するのではなく、警報を発するまでに、所定時間待つ構成とされている。これにより、誤作動を少なくすることが可能となる。つまり、電波が受信されなくなってすぐに警報が発せられる構成とした場合、単に鞄を置いて、人が歩いている際に壁により電波が遮断されることが想定されるが、このような場合にも警報が発せられることとなる。すなわち、盗難や紛失でないにも関わらず警報が発せられ、周囲に迷惑をかけてしまう。
しかし、本願発明では、所定時間待つ構成としているので、さらに人が歩いて電波が壁に遮断されなくなると、電波は再びやりとりされ始め、警報がなることはない。しかも、たとえ警報がなったとしても、人が近づくことで、警報を解除することが可能であるので、周りに迷惑をかけずに済む。
【００２６】
なお、本発明の盗難防止装置は、上記実施例の構成に限らず、適宜変更可能である。
例えば、上記実施例では、第一機器と第二機器との二つの機器での電波のやりとりとしたが、鞄などが多くある場合には、各鞄に第二機器と同様の構成の機器を入れたりすることで対応することが可能である。
【図面の簡単な説明】
【００２７】
【図１】通常時における第一機器と第二機器の動作手順を示すフローチャートである。
【図２】荷物の紛失・盗難時の第一機器と第二機器の動作手順を示すフローチャートである。
【図１】
2006065499.tif 000003
【図２】
2006065499.tif 000004